(57)【要約】【課題】実行済みジョブの情報が一覧表示されている画面から、実行済みジョブに対応する用紙のプロファイル情報を簡易に登録すること。【解決手段】操作表示部ＯＰは、登録されている用紙プロファイル情報を使用して実行した実行済みジョブの情報と、登録されている用紙プロファイル情報を変更した未登録の用紙プロファイル情報を使用して実行した実行済みジョブの情報を、個々の実行済みジョブで使用した用紙プロファイル情報が識別可能な状態で一覧表示し、操作表示部ＯＰに実行済みジョブの情報が一覧表示されている画面から、操作表示部ＯＰに表示されている未登録の用紙プロファイル情報をユーザーの選択により登録可能としている。【選択図】図７
2012131129.tif 000002
【特許請求の範囲】
【請求項１】
少なくとも１つ以上の用紙プロファイル情報が登録される登録部と、
前記登録部に登録された用紙プロファイル情報を一覧表示し、一覧表示された用紙プロファイル情報の中から所望の用紙プロファイル情報をユーザーが選択可能である操作表示部と、を有し、
前記操作表示部を通じてユーザーが選択した用紙プロファイル情報を使用して用紙に画像を形成する画像形成装置であって、
前記操作表示部は、前記登録部に登録されている用紙プロファイル情報を使用して実行した実行済みジョブの情報と、前記登録部に登録されている用紙プロファイル情報を変更した未登録の用紙プロファイル情報を使用して実行した実行済みジョブの情報を、個々の実行済みジョブで使用した用紙プロファイル情報が識別可能な状態で一覧表示し、
前記操作表示部に実行済みジョブの情報が一覧表示されている画面から、前記操作表示部に表示されている前記未登録の用紙プロファイル情報をユーザーの選択により前記登録部に登録可能とすることを特徴とする画像形成装置。
【請求項２】
前記操作表示部は、実行済みジョブの情報が一覧表示している画面において、前記登録部に登録されている用紙プロファイル情報と、前記未登録の用紙プロファイル情報を、関連付けて表示することを特徴とする請求項１に記載の画像形成装置。
【請求項３】
前記操作表示部は、前記未登録の用紙プロファイル情報の中で変更されている項目を識別可能に表示することを特徴とする請求項１又は２に記載の画像形成装置。
【請求項４】
前記実行済みジョブは、実際のジョブの一部をサンプルとして出力するジョブであり、
サンプルとして出力された用紙には、前記実行済みジョブの情報が印字されることを特徴とする請求項１から３の何れか１項に記載の画像形成装置。
【発明の詳細な説明】
【技術分野】
【０００１】
本発明は、画像形成装置に関する。
【背景技術】
【０００２】
複写機やプリンタ等の画像形成装置の中には、操作表示部を通じてジョブ毎に画像形成条件や出力形態を細かく設定し、高品質の画像を用紙に形成するものがある。操作表示部を通じて設定出来る項目としては、例えば画像の色再現性、変倍、トリミング等の項目が挙げられる。
【０００３】
操作表示部を通じて画像形成条件等を細かく設定したジョブを一回だけ実行する場合は特に支障はないが、ジョブ実行後に同じ設定内容で再度実行したい場合、同じように画像形成条件等を細かく設定する作業を繰り返すことは煩雑であり、ユーザーにとって手間がかかる。
【０００４】
そこで、操作表示部を通じて設定した内容を画像形成装置内に登録させる技術が各種提案されており、例えば特許文献１に記載の技術がある。特許文献１に記載された技術は、画像データと共にその前回の印刷情報である付属情報を外部カードに登録しておき、前回と同じ内容の印刷が指示された場合、印刷処理の際に参照される印刷情報を付属情報で置き換えることにより、前回と同様の印刷処理が行われるという技術である。このように前回の印刷情報である付属情報を登録させておけば、操作表示部における設定作業を繰り返す必要はなくなる。
【先行技術文献】
【特許文献】
【０００５】
【特許文献１】特開平１１−２１５３５８号公報
【発明の概要】
【発明が解決しようとする課題】
【０００６】
ところで、操作表示部を通じて設定する項目の中に、画像形成装置内の給紙トレイに収容される用紙に関する項目がある。給紙トレイに収容される用紙は、普通紙、塗工紙、封筒等、色々な種類のものがあり、各種の用紙に高品質の画像を形成するためには用紙のプロファイル情報として用紙の種類、用紙の坪量、用紙のサイズ、表裏調整、プロセス調整等を細かく設定する必要がある。そして細かく設定した用紙のプロファイル情報を画像形成装置に登録し、ジョブを実行する毎に細かく設定することなしに、登録された用紙のプロファイル情報を操作表示部で簡易に選択して利用するようにしている。
【０００７】
用紙のプロファイル情報について検討してみると、用紙のプロファイル情報に含まれる各項目の最適値をユーザーが決定して画像形成装置に登録する場合、用紙のプロファイル情報に含まれる各項目の値を異ならせた複数のジョブを順々に実行し、出力した複数の用紙の出来映えを比較してユーザーが用紙のプロファイル情報に含まれる各項目の最適値を決定することが考えられる。
【０００８】
しかし、複数のジョブを実行して最新の実行済みジョブに関する設定内容（用紙のプロファイル情報を含む設定内容）しか操作表示部に表示されていないとすると、それより前の実行済みジョブに対応した用紙のプロファイル情報に関する設定内容が最適だとしても、その設定内容をすぐに画像形成装置に用紙のプロファイル情報として登録することが出来ず不便である。また、最適な設定内容をユーザーが覚えていないとすると、再度用紙のプロファイル情報に含まれる各項目の値を異ならせた複数のジョブを順々に実行し、出力した複数の用紙の出来映えを比較するという作業をしなければならず、ユーザーにとって手間がかかる。
【０００９】
そこで、本発明の目的は、実行済みジョブの情報が一覧表示されている画面から、実行済みジョブに対応する用紙のプロファイル情報を簡易に登録することが出来る画像形成装置を提供することにある。
【課題を解決するための手段】
【００１０】
上記目的を達成すべく、本発明に係る画像形成装置は、
少なくとも１つ以上の用紙プロファイル情報が登録される登録部と、
前記登録部に登録された用紙プロファイル情報を一覧表示し、一覧表示された用紙プロファイル情報の中から所望の用紙プロファイル情報をユーザーが選択可能である操作表示部と、を有し、
前記操作表示部を通じてユーザーが選択した用紙プロファイル情報を使用して用紙に画像を形成する画像形成装置であって、
前記操作表示部は、前記登録部に登録されている用紙プロファイル情報を使用して実行した実行済みジョブの情報と、前記登録部に登録されている用紙プロファイル情報を変更した未登録の用紙プロファイル情報を使用して実行した実行済みジョブの情報を、個々の実行済みジョブで使用した用紙プロファイル情報が識別可能な状態で一覧表示し、
前記操作表示部に実行済みジョブの情報が一覧表示されている画面から、前記操作表示部に表示されている前記未登録の用紙プロファイル情報をユーザーの選択により前記登録部に登録可能とすることを特徴とするものである。
【発明の効果】
【００１１】
本発明に係る画像形成装置によれば、実行済みジョブの情報が一覧表示されている画面から、実行済みジョブに対応する用紙のプロファイル情報を簡易に登録することが出来る。
【図面の簡単な説明】
【００１２】
【図１】画像形成システムの中央断面図である。
【図２】画像形成システムの制御構成を示すブロック図である。
【図３】用紙プロファイル情報を表示する操作画面を示す説明図である。
【図４】登録された用紙プロファイル情報を一覧表示する操作画面を示す説明図である。
【図５】用紙プロファイル情報を表示する操作画面を示す説明図である。
【図６】用紙プロファイル情報を変更した場合に表示される操作画面を示す説明図である。
【図７】操作表示部において実行済みジョブを一覧表示した操作画面を示す説明図である。
【図８】登録された用紙プロファイル情報を一覧表示する操作画面を示す説明図である。
【図９】出力されたサンプルの形態を示す説明図である。
【発明を実施するための形態】
【００１３】
［画像形成システムの概要］
図１は、画像形成システムＸの中央断面図である。
【００１４】
図１に示す画像形成システムＸは、画像形成装置ＧＳに２つの大容量給紙装置ＰＦＵ１、ＰＦＵ２が接続されて構成されている。
【００１５】
画像形成装置ＧＳの上部には操作表示部ＯＰが設置されている。操作表示部ＯＰはタッチパネル方式となっており、操作表示部ＯＰに表示される操作画面を通じてユーザーが画像形成システムＸで実行するジョブを設定することが可能である。
【００１６】
画像形成装置ＧＳは中央に縦長に巻回された中間転写ベルト１を有し、中間転写ベルト１の右側にイエローの画像形成部２Ｙ、マゼンタの画像形成部２Ｍ、シアンの画像形成部２Ｃ、ブラックの画像形成部２Ｋが配置されている。
【００１７】
各画像形成部の構成は同一であり、イエローの画像形成部２Ｙを代表して説明すると、感光体ドラム３Ｙが中間転写ベルト１に接するよう配置されている。感光体ドラム３Ｙの廻りに反時計方向に、帯電部４Ｙ、レーザー書込部５Ｙ、現像部６Ｙ、一次転写ローラ７Ｙ（中間転写ベルト１の裏側）、クリーニング部８Ｙが配置されている。
【００１８】
自動原稿搬送装置ＡＤＦと中間転写ベルト１の間には画像読取部ＩＲが配置され、自動原稿搬送装置ＡＤＦで読取位置に給送された原稿の画像、あるいは原稿ガラス上に置かれた原稿の画像を画像読取部ＩＲが読取ってレーザー書込部５Ｙに供給する。
【００１９】
感光体ドラム３Ｙは、帯電部４Ｙで一様帯電された後にレーザー書込部５Ｙで画像が書き込まれ、感光体ドラム３Ｙ上に静電潜像が形成される。この静電潜像は、現像部６Ｙでトナー像とされ、一次転写ローラ７Ｙによって中間転写ベルト１に転写される。
【００２０】
各色のトナー像が中間転写ベルト１上で重ね合わされると、中間転写ベルト１上のトナー像は二次転写ローラ９により画像形成装置ＧＳの給紙トレイ、大容量給紙装置ＰＦＵ１あるいは大容量給紙装置ＰＦＵ２のいずれかの給紙トレイから給紙された用紙Ｓに転写される。転写後の中間転写ベルト１はベルトクリーニング部１１により清掃される。
【００２１】
用紙Ｓに転写されたトナー像は、定着部１２により定着される。定着部１２の下流には、搬送路切換部材１３が設けられ、用紙Ｓを排紙トレイ２０に送るか、下方に搬送して両面搬送路に送るかの切換を行う。両面搬送路に送られた用紙Ｓは、再度転写位置に送られ裏面に画像が形成される。
【００２２】
大容量給紙装置ＰＦＵ１は３段の給紙トレイ３０、給紙トレイ４０、給紙トレイ５０を有し、大容量給紙装置ＰＦＵ２も３段の給紙トレイ６０、給紙トレイ７０、給紙トレイ８０を有する。各給紙トレイから搬送された用紙は大容量給紙装置ＰＦＵ１、ＰＦＵ２内の搬送ローラにより画像形成装置ＧＳに送り込まれる。
【００２３】
画像形成システムＸ全体では９つの給紙トレイが設置されており、普通紙や塗工紙等、多種の用紙に対して画像を形成することが可能である。
【００２４】
図２は、画像形成システムＸの制御構成を示すブロック図である。
【００２５】
図２において、画像形成装置ＧＳは、画像処理制御部１００、プリンタ制御部１１０、スキャナ制御部１２０、操作表示部制御部１３０を有し、各制御部は、画像形成装置ＧＳに接続されるＡＤＦ制御部１４０、ＰＦＵ制御部１５０と点線で示すシリアル通信回線で接続されて画像形成システムを構成している。なお、図２において、画像処理制御部１００のみＣＰＵ（画像制御ＣＰＵ）やプログラムを格納するメモリを示したが、上記の各制御部は各々ＣＰＵやメモリを有し、これらがシリアル通信回線を通じて連携しながらシーケンス制御を行う。
【００２６】
２００は画像形成装置ＧＳに接続されるプリンタコントローラであり、外部のコンピュータＰＣとＬＡＮ回線で結ばれ、コンピュータＰＣからのプリントデータを受け取り、画像処理を行う。
【００２７】
コンピュータＰＣで作成されるプリントデータは、ＰＳ、ＰＣＬなどのページ記述言語で記述されるので、プリンタコントローラ２００は、このプリントデータを解析し、ビットマップデータに変換する機能を有する。また、プリンタコントローラ２００は、スクリーン処理など画像を調整する処理、文字データの内蔵フォントへ変換する処理等を実行する。このような処理は、コントローラ制御ＣＰＵの制御の下に、ＤＲＡＭ制御ＩＣ２０１がＤＲＡＭをメモリとして実行される。
【００２８】
プリンタコントローラ２００のＤＲＡＭ制御ＩＣ２０１は、画像処理制御部１００のＤＲＡＭ制御ＩＣ１０１とＰＣＩバス（太線で示す）で接続され、変換された画像データやコンピュータＰＣのプリンタドライバで設定された各種情報を転送する。
【００２９】
画像処理制御部１００の画像制御ＣＰＵの制御の下に、ＤＲＡＭ制御ＩＣ１０１は、受け取ったデータをバッファとしてのページメモリに一旦保存し、圧縮ＩＣに送ってデータを圧縮した上で、ＤＲＡＭの圧縮メモリに保存する。
【００３０】
圧縮メモリのデータは、各ジョブの制御シーケンスに従って伸張ＩＣに送られて伸張され、書込み処理部を経て画像書き込み用のレーザーダイオードＬＤに供給される。
【００３１】
一方、画像読取部ＩＲのＣＣＤで読取られた原稿の画像データは、読取り処理部、圧縮ＩＣを経て、同様に圧縮メモリに保存され、プリントデータと同様に伸張ＩＣ、書込み処理部からレーザーダイオードＬＤに供給される。原稿を画像読取部ＩＲで読取る場合の各種設定情報は操作表示部ＯＰから入力され、操作表示部制御部１３０から転送される。
【００３２】
このように、コンピュータＰＣからのプリント画像データ、或いは原稿を読取った原稿画像データは各種処理を受け、圧縮伸張されて、最終的にレーザーダイオードＬＤによって感光体ドラム上に書き込まれる。また、コンピュータＰＣや操作表示部ＯＰでの各種設定情報はジョブとしてＤＲＡＭに保存され、点線のシリアル通信回線によってシーケンス制御情報とともに各部の制御部に送られる。なお、後述する用紙のプロファイル情報は、不揮発性メモリ（登録部）Ｙに少なくとも１つ以上登録される。
【００３３】
以上、図１、図２に示す構造の画像形成システムＸにおいて、用紙Ｓに対して画像が形成される。
【００３４】
［用紙プロファイル情報］
図１に示す画像形成システムＸでは、画像形成装置ＧＳの給紙トレイ１０Ａ等に収容される用紙Ｓの特性や用紙Ｓの特性に合致した画像形成条件等を用紙プロファイル情報として画像形成装置ＧＳの操作表示部ＯＰで個別に設定し、高品質の画像形成を実現している。
【００３５】
図３は、用紙プロファイル情報を表示する操作画面を示す説明図である。
【００３６】
用紙プロファイル情報を操作表示部ＯＰで給紙トレイ毎に設定する場合は、図３に示す画面が操作表示部ＯＰに表示される。図３に示す画面では、画面左側に位置する給紙トレイ釦ＴＢ１がユーザーによって押され、画像形成装置ＧＳの給紙トレイ１０Ａに関して設定された用紙プロファイル情報が表示されている。
【００３７】
図１に示す画像形成システムＸでは合計で９つの給紙トレイ（画像形成装置ＧＳにおける給紙トレイ１０Ａ、１０Ｂ、１０Ｃ、大容量給紙装置ＰＦＵ１における給紙トレイ３０、給紙トレイ４０、給紙トレイ５０、大容量給紙装置ＰＦＵ２における給紙トレイ６０、給紙トレイ７０、給紙トレイ８０）があり、図３に示す画面左側に位置する給紙トレイ釦のいずれかがユーザーによって押されると、各々の給紙トレイに関して設定された用紙プロファイル情報が表示される。なお、図３に示す画面左側に位置する給紙トレイ釦において、トレイ１が給紙トレイ１０Ａに、トレイ２が給紙トレイ１０Ｂに、トレイ３が給紙トレイ１０Ｃに、トレイ４が給紙トレイ３０に、トレイ５が給紙トレイ４０に、トレイ６が給紙トレイ５０に、トレイ７が給紙トレイ６０に、トレイ８が給紙トレイ７０に、トレイ９が給紙トレイ８０に各々対応する。
【００３８】
給紙トレイ１０Ａに関して設定されている用紙プロファイル情報は、図３に示すように用紙プロファイル名が「上質紙」というものであり、「上質紙」という用紙プロファイル情報は、画像形成装置ＧＳ内の不揮発性メモリＹ（図２参照）に登録されている。
【００３９】
用紙プロファイル情報の設定項目としては、用紙サイズ、用紙種類、坪量、色紙、パンチ、速度設定、表裏調整、プロセス調整があり、表裏調整、プロファイル調整は更に細かく設定項目がある（表裏調整では倍率、イメージシフト等の設定項目があり、プロセス調整では２次転写出力調整、定着温度等が設定項目である）。給紙トレイ１０Ａに関する用紙プロファイル情報の設定内容は、図３に示すように、用紙サイズ：Ａ４横置き、用紙種類：上質紙、坪量：６４−７４ｇ／ｍ２、色紙：白紙、パンチ：パンチ穴なし、速度設定：高速となっている。
【００４０】
給紙トレイ１０Ａに関して設定されている用紙プロファイル情報を不揮発性メモリＹに登録されている他の用紙プロファイル情報に変更したい場合は、設定呼出し釦ＯＰ１を押す。ユーザーによって設定呼出し釦ＯＰ１が押されると、図４に示すように不揮発性メモリＹに登録されている複数の用紙プロファイル情報が操作表示部ＯＰに一覧表示される。
【００４１】
本実施形態では不揮発メモリＹにナンバーが００１から００４までの４つの用紙プロファイル情報が登録されており、各々の用紙プロファイル名は「上質紙」、「普通紙１２３」、「普通紙１２３ＡＢＣ」、「カラーＡＢＣＤ  １２３」というものである。
【００４２】
例えば、給紙トレイ１０Ａに関して「普通紙１２３ＡＢＣ」という用紙プロファイル情報を設定したい場合は、図４に示すように一覧表示されている画面において「普通紙１２３ＡＢＣ」の用紙プロファイル情報を選択し、画面下側に設置されたＯＫ釦ＯＰ２を押す。ユーザーによってＯＫ釦ＯＰ２が押されると、「普通紙１２３ＡＢＣ」の用紙プロファイル情報が読み出され、図５に示すように「普通紙１２３ＡＢＣ」の用紙プロファイル情報が詳細に表示される。その後、画面上側の設定登録釦ＯＰ３が押されると、給紙トレイ１０Ａに関して「普通紙１２３ＡＢＣ」の用紙プロファイル情報が設定され、それ以降に給紙トレイ１０Ａに収容された用紙Ｓに画像を形成するジョブを実行する場合は、「普通紙１２３ＡＢＣ」の用紙プロファイル情報が使用される。
【００４３】
また、図５に示す画面において画面下側の設定変更釦ＯＰ４がユーザーによって押されると、「普通紙１２３ＡＢＣ」の用紙プロファイル情報を変更する画面（不図示）が操作表示部ＯＰに表示され、ユーザーは用紙サイズや用紙種類等の各設定項目について「普通紙１２３ＡＢＣ」の用紙プロファイル情報を設定変更することが可能である。
【００４４】
一連の設定変更動作が終了すると、図６に示すような画面が操作表示部ＯＰに表示され、「普通紙１２３ＡＢＣ  変更１」という仮の用紙プロファイル名で一時的に画像形成装置ＧＳ内に記憶される（当該記憶段階では、不揮発性メモリＹに未登録である）。仮の用紙プロファイル名で一時的に画像形成装置ＧＳ内に記憶される場合は、変更元の用紙プロファイル情報（ここでは「普通紙１２３ＡＢＣ」の用紙プロファイル情報）の名称又はナンバーと、変更された内容のみを記憶し、記録容量を抑えている。
【００４５】
図６では示していないが、「普通紙１２３ＡＢＣ  変更１」を操作表示部ＯＰに表示する場合は、変更元の「普通紙１２３ＡＢＣ」の用紙プロファイル情報に対して変更されている項目を赤字で表示し、変更箇所がユーザーに識別可能に表示している。
【００４６】
［用紙プロファイル情報の登録］
次に、実行済みジョブの一覧表示の画面から用紙プロファイル情報を不揮発性メモリＹに登録する内容について説明する。
【００４７】
図７は、操作表示部ＯＰにおいて実行済みジョブを一覧表示した操作画面を示す説明図である。
【００４８】
画像形成システムＸにおいて用紙に画像を形成するジョブを実行すると、図７に示すように、実行済みジョブの情報が操作表示部ＯＰに一覧表示される。図７に示す操作画面では、ジョブナンバーが００１から００４までの４つの実行済みジョブの情報が表示されており、各々の実行済みジョブの情報にはファイル名、ユーザー名、結果、ページ、部数、時刻の情報が関連付けられている。
【００４９】
また、各々のジョブ実行済みジョブの情報には、画面右側にそのジョブで使用した用紙プロファイル情報が識別可能な状態で表示されている。例えば、ジョブナンバー００１に関しては、不揮発性メモリＹに登録されているナンバー００２の用紙プロファイル情報（図４におけるナンバー００２の「普通紙１２３」の用紙プロファイル情報）が使用されていることが画面から識別出来る。
【００５０】
同じように、ジョブナンバー００２、００３、００４に関しては、不揮発性メモリＹに登録されているナンバー００２の用紙プロファイル情報を一部変更した用紙プロファイル情報が使用されており、これら一部変更した用紙プロファイル情報は不揮発性メモリＹには未登録である。図７で示すように、未登録の用紙プロファイル情報は「Ｎｏ．００２  変更１」「Ｎｏ．００２  変更２」「Ｎｏ．００２  変更３」と表示され、不揮発性メモリＹに登録されている用紙プロファイル情報と関連付けて表示されているため、どの用紙プロファイル情報を変更してジョブを実行しているのかユーザーに認識されやすい。
【００５１】
図７に示すように、本実施形態では各々異なった用紙プロファイル情報を使用してジョブを実行しているが、出力された用紙の出来映えを比較した結果、例えば、ジョブナンバー００２で出力された用紙の出来映えが良く、ジョブナンバー００２で使用した用紙プロファイルを今後も使用するために不揮発性メモリＹに登録したい場合は、図７に示す一覧表示画面において、ジョブナンバー００２を選択する（なお、ジョブナンバー００２を選択後、画面右側の詳細表示釦ＯＰ６を押すと、登録しようとする「Ｎｏ．００２  変更１」の設定項目が表示され、変更元の「普通紙１２３」の用紙プロファイル情報に対して変更されている項目は赤字で識別可能に表示される）。
【００５２】
その後、画面上側のプロファイル登録釦ＯＰ５がユーザーによって押されると、不図示のプロファイル登録画面が操作表示部ＯＰに表示される。そして用紙プロファイル名を例えば「普通紙１２３ＡＢＣ−００」と入力して不揮発メモリＹへの登録が完了すると、図８に示すように不揮発性メモリＹに登録されている複数の用紙プロファイル情報が操作表示部ＯＰに一覧表示され、新たな用紙プロファイル情報がナンバー００５で登録されたことが分かる。登録された以降、「普通紙１２３ＡＢＣ−００」の用紙プロファイル情報は、図８に示す一覧表示画面から選択して何れかの給紙トレイの設定等に使用することが出来る。
【００５３】
以上、図７、図８で説明したように、操作表示部ＯＰに実行済みジョブの情報が一覧表示されている画面から、未登録の用紙プロファイル情報をユーザーの選択により登録可能とすることにより、出力した複数の用紙の出来映えを比較した上で簡易に且つ迅速に用紙プロファイル情報を一覧表示画面からダイレクトに不揮発性メモリＹに登録することができ、登録後は操作表示部ＯＰを通じて用紙プロファイル情報を選択出来る。
【００５４】
なお、出力された用紙の出来映えを比較するためのジョブを実行する場合、実際のジョブの一部をサンプルとして出力し、サンプルとして出力した用紙Ｓに、実行済みジョブの情報、例えば図９に示すように使用した用紙プロファイル情報を印字しても良い。このようにすれば、どの実行済みジョブのサンプルか識別しやすく、正確に用紙プロファイル情報を一覧表示画面からダイレクトに不揮発性メモリＹに登録することが出来る。
【符号の説明】
【００５５】
Ｘ  画像形成システム
ＧＳ  画像形成装置
ＰＦＵ１、ＰＦＵ２  大容量給紙装置
ＯＰ  操作表示部
Ｙ  不揮発性メモリ
１００  画像処理制御部
１１０  プリンタ制御部
１２０  スキャナ制御部
１３０  操作表示部制御部
１４０  ＡＤＦ制御部
１５０  ＰＦＵ制御部
【図１】
2012131129.tif 000003
【図２】
2012131129.tif 000004
【図３】
2012131129.tif 000005
【図４】
2012131129.tif 000006
【図５】
2012131129.tif 000007
【図６】
2012131129.tif 000008
【図７】
2012131129.tif 000009
【図８】
2012131129.tif 000010
【図９】
2012131129.tif 000011